(57)【要約】【課題】位牌と本尊又は遺影を同時に収納し、位牌に傷を付けることなく、簡易に携行し、何処においても手軽に崇拝することができるようにした携帯仏壇を提供すること。【解決手段】取り外し可能とした位牌３を内部に収納し、かつ内面に本尊又は遺影４を配設可能とした本体１と、経典５を付し、本体１に開蓋可能に嵌着し、一体となるようにした蓋２とより構成する。【選択図】　図１
0003098188.tif 000002
【実用新案登録請求の範囲】
【請求項１】
取り外し可能とした位牌を内部に収納し、かつ内面に本尊又は遺影を配設するようにした本体と、経典を付し、前記本体に嵌着し、一体となるようにした蓋とより構成したことを特徴とする携帯仏壇。
【請求項２】
位牌を、位牌下部に形成した係止溝と、これと係止可能とした本体内部に突設した止め具とにより取り外し可能に構成したことを特徴とする請求項１記載の携帯仏壇。
【請求項３】
本尊又は遺影を、本体に対して取り外し可能に配設する透明板にて本体内面に固定するよう構成したことを特徴とする請求項１記載の携帯仏壇。
【請求項４】
蓋に付す経典を、蓋に経典書を貼着又は印刷して構成したことを特徴とする請求項１記載の携帯仏壇。
【考案の詳細な説明】
【０００１】
【考案の属する技術分野】
本考案は、携帯仏壇に関し、特に、故人を偲んで何時でも、何処においても手軽に拝むことができるよう、小型化し、かつ携行可能にした携帯仏壇に関するものである。
【０００２】
【従来の技術】
従来、小型で携行可能な仏壇としては、箱本体内に本尊又は仏像などを描いた掛け軸、さらには花立て、灯立て、香炉などよりなる三具足、また必要に応じて鈴、鈴打ち棒などを収納するようにし、この箱本体に蓋を蝶番などにて開閉可能にして留め、該蓋を開けて本尊又は掛け軸を拝むように構成している。
【０００３】
【考案が解決しようとする課題】
ところで、上記従来の小型で携行可能な仏壇においては、内部に位牌を納めることができず、仏壇と別個に位牌を携行する必要があり、嵩低くするにも限度があり、また両者の携行に不便があるという問題があった。
また、本体内に収納する本尊は固定されていないため、携行時の振動などにて本尊に傷が付きやすく、これを防止するためには、閉蓋時に本尊を布その他にて包む等して養生する手数を要するという問題があった。
【０００４】
本考案は、上記従来の小型仏壇の有する問題点に鑑み、位牌と本尊又は遺影を同時に収納し、位牌に傷を付けることなく、簡易に携行し、何処においても手軽に崇拝することができるようにした携帯仏壇を提供することを目的とする。
【０００５】
【課題を解決するための手段】
上記目的を達成するため、本考案の携帯仏壇は、取り外し可能とした位牌を内部に収納し、かつ内面に本尊（絵や写真）又は遺影を配設可能とした本体と、経典を付し、前記本体に開蓋可能に嵌着し、一体となるようにした蓋とより構成したことを特徴とする。
【０００６】
この携帯仏壇は、位牌を収納した蓋を嵌着することにより仏壇を小型化することができるとともに携行に至便となり、仏壇を載置するスペースのない処でも、何時でも故人を尊厳のある方法で、また蓋を裏返すだけで経典を読経して拝むことができ、さらにはアパートその他の狭い場所においても、位牌を本体から取り出して本体前に載置することで簡易な仏壇とすることもできる。
【０００７】
この場合、位牌を、位牌下部に形成した係止溝と、これと係止可能とした本体内部に突設した止め具とにより取り外し可能に構成することができる。
【０００８】
これにより、位牌を収納し、蓋をした状態で携行する場合でも、位牌は本体内で固定されているので、携行時の振動にても安定して保持され、破損することがなく、さらに家族の中で複数の位牌がある場合でも、特に携行して拝みたい位牌に簡易に取り替えることができる。
【０００９】
また、この場合、本尊又は遺影を、本体に対して取り外し可能に配設する透明板にて本体内面に固定することができる。
【００１０】
これにより、位牌の後ろに本尊又は遺影が配設されているので、仏壇を拝むとき、遺影を配設することによって何時でも故人を偲ぶことができ、本尊と遺影の交換も簡易に行える。
【００１１】
また、この場合、蓋に付す経典を、蓋に経典書を貼着又は印刷して構成することができる。
【００１２】
これにより、開蓋するだけで、暗記していない経典をも簡易に手を合わせつつ読経することができる。
【００１３】
【考案の実施の形態】
以下、本考案の携帯仏壇の実施の形態を図面に基づいて説明する。
【００１４】
図１〜図４に、本考案の携帯仏壇の実施例を示す。
本考案の携帯仏壇は、取り外し可能とした位牌３を内部に収納し、かつ内面に本尊（絵や写真）又は遺影４を配設可能とした本体１と、経典５を付し、前記本体１に嵌着又は被冠し、一体となるようにした蓋２とより構成する。
【００１５】
本体１と蓋２とは、互いに嵌着することにより一体となるようにその大きさ、即ち、横幅と縦幅とは等しくなるようにし、その深さのみをそれぞれ目的や用途に合わせて設定するように形成するとともに、木製或いは合成樹脂にて製作或いは成形し、内外両面を仏壇に相応しいように塗装又は漆塗するようにする。さらにはこれに仏壇に相応しい模様や彫刻を付すことができる。
【００１６】
本体１は、内部に位牌３を十分納められる大きさを備えた箱体板１１の四周を囲むように、上側板１２と下側板１３、及び右側板１４と左側板１５と配設し、上面が開口した箱体とし、必要に応じて蓋２を嵌着した状態で本体１が下部位置になるとき、本体１の底面側に台座１６，１６，１６，１６を配設することがある。これにより、蓋２を取り外して仏壇として使用しないとき、箱体として安定してテーブル、タンス上等に設置或いは載置できるようにする。
また、この本体１の下側板１３の内側には、本体内に突出するようにして止め具１７を突設する。この止め具１７は、特に限定されるものではないが、例えば、図示のように先端両側が膨らんだ形状、その他鳩尾形状とし、これにより位牌３の下部に形成した係止溝と一方向にのみ摺動可能となるようにして係止し、位牌３を本体１から引き抜くように移動させることによって簡易に取り外しが可能となるが、他の方向には移動又は振動しないようにする。
【００１７】
また、位牌３は、その形状は特に限定されるものではないが、例えば、故人の戒名を書く戒名板３１と、台座部３２とより構成し、この台座部３２に前記止め具１７と摺動可能に係止するための係止溝３３を、該止め具１７の外形状に合わせて形成する。この場合、位牌３を本体１から取り出したときでも、そのままテーブルなどの平らな棚、その他の上に載置できるようにする。
したがって、位牌３を手前方向に移動させることによって本体１から取り外すことができるようになり、携行時には定位置にて固定され、また、他の方向への移動を阻止することもでき、位牌３を本体１内にて安定して係止できる。
これにより、位牌を収納し、蓋をした状態で携行する場合でも、位牌は本体内で固定されており、携行時の振動にても安定して保持され、傷が付いたり、破損したりすることがなく、さらに家族の中で複数の位牌がある場合でも、特に携行して拝みたい位牌に簡易に取り替えることができるようになる。
【００１８】
本尊又は遺影４は、上下側板１２、１３、及び左右側板１４、１５にて囲まれた箱体板１１の内側に沿って配設されるように、四角形の他、円形、楕円形など好みの形状とすることができる。この本尊又は遺影４は、箱体板１１の内側に直接接着剤にて貼着することも可能であるが、交換可能なようにすることができる。
【００１９】
本尊又は遺影４を交換可能とする場合、これは特に限定されるものではないが、例えば、図４に示すように、箱体板１１の内側に本尊又は遺影４の下端を支持するための横桟４１を配設し、この横桟４１より上部で、箱体板１１に沿うようにして左右側板１４、１５に細くて浅い溝４２，４３を刻設し、この対向する溝４２，４３に透明板４４、特に限定されるものではないが、例えば、合成樹脂板製の透明板４４の両端部を嵌合するようにして係着し、この透明板４４にて本尊又は遺影４を押圧固定するようにする。
これにより、透明板４４をその弾性を利用して取り外すことによって本尊又は遺影４の交換を簡単に行うことができ、また開蓋時には位牌の後ろの本尊又は遺影を見ることができるので、仏壇を拝むとき、何時でも故人を偲ぶことができる。
【００２０】
蓋２は、本体１に嵌着する薄い箱形に形成し、その四周を取り囲むよう配設した四周板２１，２２，２３，２４の内側面に、般若心経など経典５を直接印刷するか、或いは紙に印刷された経典書の一部を貼着などにて付すようにする。
これにより、図１に示すように、開蓋し、立て掛けた本体１の手前に蓋２を配設したとき、蓋内面又は外面に付した経典５を表示することができる。
これにより、開蓋し、蓋を裏返すだけで、暗記していない経典をも手を合わせつつ簡易に読経することができる。
【００２１】
なお、この携帯仏壇の本体１内には、位牌だけでなく、位牌の両端部の空間部分に、香炉、花立て、灯立ての三具足、鈴、鈴打ち棒（いずれも図示せず）などを収納することもできる。
【００２２】
以上、本考案の携帯仏壇について、その実施例に基づいて説明したが、本考案は上記実施例に記載した構成に限定されるものではなく、例えば、本体内面で収納する位牌の後ろ位置に仏像など、崇拝の対象となる絵若しくは文字を書した掛け軸など配設するなど、その趣旨を逸脱しない範囲において適宜その構成を変更することができるものである。
【００２３】
【考案の効果】
請求項１記載の考案によれば、位牌を収納した蓋を嵌着することにより仏壇を小型化することができるとともに携行に至便となり、仏壇を載置するスペースのない処でも、何時でも故人を尊厳のある方法で、また蓋を裏返すだけで経典を読経して拝むことができ、さらにはアパートその他の狭い場所においても、位牌を本体から取り出して本体前に載置することで簡易な仏壇とすることもできる。
【００２４】
また、請求項２記載の考案によれば、位牌下部に形成した係止溝と、これと係止可能とした本体内部に突設した止め具とにより取り外し可能に位牌を構成しているので、位牌を収納し、蓋をした状態で携行する場合でも、位牌は本体内で固定されており、携行時の振動にても安定して保持され、破損することがなく、さらに家族の中で複数の位牌がある場合でも、特に携行して拝みたい位牌に簡易に取り替えることができる。
【００２５】
また、請求項３記載の考案によれば、本体に対して取り外し可能に配設する透明板にて本体内面に本尊又は遺影を固定しているので、位牌の後ろの本尊又は遺影を見ることができ、仏壇を拝むとき、遺影を配設することによって何時でも故人を偲ぶことができ、本尊と遺影の交換も簡易に行える。
【００２６】
また、請求項４記載の考案によれば、蓋に経典書を貼着又は印刷しているので、開蓋するだけで、暗記していない経典をも手を合わせつつ簡易に読経することができる。
【図面の簡単な説明】
【図１】本考案の携帯仏壇の一実施例を示し、使用状態の外観図である。
【図２】携行時の外観図である。
【図３】開蓋し、位牌を取り除いたときの外観図である。
【図４】本尊又は遺影の取り付け状態を示し、（Ａ）は外観図、（Ｂ）は断面図である。
【符号の説明】
１　　本体
１７　止め具
２　　蓋
３　　位牌
３３　係止溝
４　　本尊又は遺影
５　　経典
【図１】
0003098188.tif 000003
【図２】
0003098188.tif 000004
【図３】
0003098188.tif 000005
【図４】
0003098188.tif 000006